(57)【特許請求の範囲】
【請求項１】
荷電粒子線を発する荷電粒子源と、
前記荷電粒子源が固定される筒と、
前記筒に嵌合され、鉛直方向に移動可能な固定部品と、
前記筒を挿入可能な開口と、前記固定部品を支持する支持部と、を有する筐体と、
前記固定部品と前記支持部との間に配置される第１の支持部品及び第２の支持部品と、  前記固定部品に押し当てられることにより前記筒を下方に移動させる押し込み部品と、を備え、
前記第２の支持部品は、鉛直方向に圧縮変形し、前記第１の支持部品より鉛直方向の長さが大きいことを特徴とする荷電粒子銃。
【請求項２】
前記第１の支持部品より減衰性が高く、前記固定部品に接触可能な減衰部品をさらに備えることを特徴とする請求項１記載の荷電粒子銃。
【請求項３】
前記第１の支持部品の底面は、曲面構造を有することを特徴とする請求項１記載の荷電粒子銃。
【請求項４】
前記第２の支持部品は、前記第１の支持部品より剛性が低いことを特徴とする請求項１記載の荷電粒子銃。
【請求項５】
前記第１の支持部品及び前記第２の支持部品をそれぞれ複数備え、前記第１の支持部品及び前記第２の支持部品は、前記固定部品の底面の周方向に沿って交互に配置されることを特徴とする請求項１記載の荷電粒子銃。
【請求項６】
前記押し込み部品及び前記減衰部品は、前記筐体の上部において前記開口の周方向に沿って交互に配置されることを特徴とする請求項２記載の荷電粒子銃。
【請求項７】
前記第２の支持部品は、
中空部品と、
前記中空部品内部の上面に一端が接続される圧縮変形部品と、
前記圧縮変形部品の他端に接続される接触部品と、を備え、
前記圧縮変形部品は、前記第１の支持部品より剛性が低いことを特徴とする請求項１記載の荷電粒子銃。
【請求項８】
前記支持部は、前記筐体上に配置され、前記開口の内部に突出するフランジを有するフランジ部を含み、
前記フランジ部は、前記第２の支持部品を挿入可能なねじ穴を側面に有し、
前記第２の支持部品は、前記ねじ穴から着脱可能な着脱ねじを有し、
前記第２の支持部品は、前記着脱ねじが前記ねじ穴に挿入された状態において前記フランジ上へ配置されることを特徴とする請求項１記載の荷電粒子銃。
【請求項９】
前記第２の支持部品は、リング状又は円弧状に形成されることを特徴とする請求項１記載の荷電粒子銃。
【請求項１０】
請求項１に記載の荷電粒子銃を備える荷電粒子線装置。
【発明の詳細な説明】
【技術分野】
【０００１】
本開示は、荷電粒子銃及び荷電粒子線装置に関する。
【背景技術】
【０００２】
荷電粒子線装置に床振動や環境音などの外乱が作用すると、装置全体が振動し、電子源と共に荷電粒子線の集束位置が振動する。荷電粒子線の集束位置が振動すると、荷電粒子線の走査領域と試料との相対的な位置関係が変位するため、像ゆれが生じる。【０００３】
荷電粒子線装置の振動を低減させる技術として、特許文献１には、「床の上に架台を介して荷電粒子ビーム装置本体が配置されている荷電粒子ビーム装置において、架台の反操作側近くに、該架台に取り外し可能に取り付けられる補強部材が、前記架台の両側面より外側に延びる様に取り付けられる様に成し、荷電粒子ビーム装置本体上部と各補強部材の間に、張り出し部材が懸架出来るように成し、少なくとも架台の操作側近くの底面部に２カ所、及び、前記補強部材の張り出し部との取り付け部近くの底面部にそれぞれ除振マウントを設けるようにした荷電粒子ビーム装置」が開示されている（請求項１参照）。【０００４】
また、特許文献２には、電子線の光軸ずれを抑制した電子銃として、「針状電極を有する電界放射型電子源または熱電界放射型電子源と、前記針状電極に強電界を印加して電子線を発生させるための引出電極とを備えた電子銃において、前記引出電極の固定位置を変えることにより前記針状電極と前記引出電極の偏心量を任意に設定する機能を有する」ことが開示されている（請求項１参照）。
【先行技術文献】
【特許文献】
【０００５】
【特許文献１】特開２００１−９３４５６号公報
【特許文献２】特開２００２−２１６６８６号公報
【発明の概要】
【発明が解決しようとする課題】
【０００６】
しかしながら、特許文献１に記載の荷電粒子線装置は、電子源を内蔵する鏡筒の外側のみを支持する構造であるため、鏡筒内部の電子源は振動してしまい、像ゆれを低減することが難しい。【０００７】
また、特許文献２に記載の電子銃において、引出電極は、光軸補正ねじによって引出電極ベースに支持されており、水平方向に移動可能になっている（段落００１７参照）。そのため、床振動や環境音などの外乱によって光軸補正ねじが変形するため、電子源が鏡筒と独立して振動してしまう。また、光軸の調整は光軸補正ねじの押し込みによって行われているため、光軸補正ねじの押し込みの度合いにより、光軸補正ねじにより引出電極を支持するための剛性や減衰性にばらつきが生じる。この剛性や減衰性のばらつきは、荷電粒子線装置の耐振動性能の機差の原因となるため、再組立や再調整が必要になる。【０００８】
以上のことから、本開示は、電子源の振動を低減し、且つ、耐振動性能に関する機差が少ない荷電粒子銃及び荷電粒子線装置を提供する。
【課題を解決するための手段】
【０００９】
本開示の荷電粒子銃は、荷電粒子線を発する荷電粒子源と、前記荷電粒子源が固定される筒と、前記筒に嵌合され、鉛直方向に移動可能な固定部品と、前記筒を挿入可能な開口と、前記固定部品を支持する支持部と、を有する筐体と、前記固定部品と前記支持部との間に配置される第１の支持部品及び第２の支持部品と、前記固定部品に押し当てられることにより前記筒を下方に移動させる押し込み部品と、を備え、前記第２の支持部品は、鉛直方向に圧縮変形し、前記第１の支持部品より鉛直方向の長さが大きいことを特徴とする。【００１０】
本開示に関連する更なる特徴は、本明細書の記述、添付図面から明らかになるものである。また、本開示の態様は、要素及び多様な要素の組み合わせ及び以降の詳細な記述と添付される特許請求の範囲の様態により達成され実現される。
本明細書の記述は典型的な例示に過ぎず、本開示の特許請求の範囲又は適用例を如何なる意味に於いても限定するものではないことを理解する必要がある。
【発明の効果】
【００１１】
本開示によれば、電子源の振動を低減し、且つ、耐振動性能に関する機差が少ない荷電粒子銃及び荷電粒子線装置を提供することができる。
上記した以外の課題、構成及び効果は、以下の実施形態の説明により明らかにされる。
【図面の簡単な説明】
【００１２】
【図１】第１の実施形態に係る電子銃の全体構成を示す断面図。
【図２】第１の実施形態に係る電子銃の一部の構成を示す断面図。
【図３】図２における領域Ａ及びＢの拡大図。
【図４】電子銃の平面図（左側）及び固定部品の底面図（右側）。
【図５】電子線の光軸の調整方法を示す概略図。
【図６】従来の電子銃における固定部品の移動時に生じる筒の傾きを示す概略図。
【図７】支持部品とフランジとの接触状態を示す概略図。
【図８】第２の実施形態に係る電子銃の一部の構成を示す断面図。
【図９】図８のＡ−Ａ断面図。
【図１０】第３の実施形態に係る電子銃の一部の構成を示す断面図。
【図１１】図１０のＡ−Ａ断面図。
【発明を実施するための形態】
【００１３】
以下、実施形態について図面を用いて説明する。図面において、ＸＹ方向を水平方向とし、Ｚ方向を鉛直方向とする。図面に示す各構成の位置、大きさ、形状、範囲などは、発明の理解を容易にするために表されたものであり、実際の位置、大きさ、形状、範囲などを表していない場合がある。このため、本開示の荷電粒子線装置は、必ずしも図面等に開示された位置、大きさ、形状、範囲などに限定されない。
本明細書において単数形で表される構成要素は、特段文脈で明らかに示されない限り、複数形を含むものとする。
【００１４】
［第１の実施形態］
第１の実施形態に係る荷電粒子線装置について、図１〜４を参照して説明する。本実施形態においては、荷電粒子線装置のうち、電界放射型の電子源を搭載した電子銃を備える走査型電子顕微鏡（ＳＥＭ）を例として説明する。
【００１５】
＜電子銃の構成例＞
図１は、本実施形態に係る電子銃１の全体構成を示す断面図である。電子銃１（荷電粒子銃）は、電子銃容器３（筐体）、フランジ部４、押し込み部品７、固定部品９、台座１０、筒１１、ベローズ１２、絶縁碍子１３、引出電極１４及び電子源１５（荷電粒子源）を備える。
【００１６】
電子銃容器３は、筒１１の一部、ベローズ１２、絶縁碍子１３、引出電極１４及び電子源１５を収容する筐体である。電子銃容器３は、筒１１を挿入するための開口３１を上面に有する。電子銃容器３は、電子源１５の針状電極１５１からの電子線が通過可能な絞り穴３２を底面に有する。絞り穴３２は、荷電粒子線装置の中心軸１００上に位置する。
【００１７】
フランジ部４は、電子銃容器３上に配置され、開口３１と略同一の径の開口４１を有する円筒状に形成される。フランジ部４は、開口４１の内部に突出するフランジ５（支持部）を備える。フランジ５の内径は、筒１１の外径より大きく、フランジ５が筒１１の側面に接しないように形成される。
【００１８】
筒１１は、伸縮可能な蛇腹状のベローズ１２によりフランジ５と連結され、内部の真空を維持したまま水平方向及び鉛直方向に移動可能に構成される。図示は省略しているが、筒１１の内部には、引出電極１４及び針状電極１５１に接続される配線が収容される。
【００１９】
引出電極１４及び電子源１５は、絶縁碍子１３を介して筒１１の底面に固定される。電子源１５は、針状電極１５１、図示しないフィラメント、電流導入端子、フィラメント碍子、サプレッサー電極等を備える。電子銃１は、筒１１内部の配線から針状電極１５１及び引出電極１４に高電圧が印加されることで、針状電極１５１から電子線が発生するよう構成される。
【００２０】
引出電極１４及び電子源１５は、電子銃容器３内において、絶縁碍子１３により筒１１と絶縁されている。絶縁碍子１３は、筒１１内の配線以外から電子源１５に電気が供給されることを防ぐために設けられる。
【００２１】
台座１０は、フランジ部４上に設けられるリング状の部品であり、押し込み部品７及び後述する減衰部品２１を挿入するためのねじ穴を有する。押し込み部品７は、ねじ溝を有し、その回転により台座１０のねじ穴内を移動可能に構成される。押し込み部品７は、水平面に対し、固定部品９に向かって下方に傾斜するように配置されている。押し込み部品７を固定部品９に押し当てることで、筒１１を鉛直方向下方及び水平方向に移動させる。筒１１の移動量は、押し込み部品７の突出量を調整することで調整される。
【００２２】
固定部品９は、筒１１に嵌合される中空円錐台状の部品であり、その回転により昇降移動可能に構成される。図示は省略しているが、筒１１は、側面にねじ溝が設けられ、固定部品９は、内面にねじ溝が設けられる。固定部品９は、押し込み部品７が接触する箇所に受け８を備える。固定部品９の材料は、例えばステンレス鋼などの金属材料である。受け８の材料は、例えば超硬合金やタングステンなど、固定部品９より剛性の高い金属材料である。
【００２３】
後述するように、固定部品９は、底面に支持部品６（第１の支持部品）及び緩衝部品１７ａ（第２の支持部品）を備え、支持部品６及び緩衝部品１７ａがフランジ５と接触することで、筒１１が支持される。
【００２４】
電子銃１は、チャンバ２上に配置される。チャンバ２は、内部に偏向手段１６を備える。偏向手段１６は、絞り穴３２を通過してチャンバ２内に侵入した電子線を静電偏向又は電磁偏向等の原理を用いて電磁気的に偏向する。偏向手段１６は、電子線を偏向させることで、試料に電子線を走査させる。また、電子線の光軸１０５は、筒１１の振動によって荷電粒子線装置の中心軸１００からずれることがあるため、偏向手段１６により光軸１０５のずれを補正する。
【００２５】
なお、本実施形態に係る荷電粒子線装置の電子銃１の構成要素はこの限りではない。また、図示は省略しているが、本実施形態に係る荷電粒子線装置は、上述の電子銃１の他に、電子線を集束するレンズ、対物レンズ、試料室、試料ステージ、電子線検出器など、荷電粒子線装置に必要な構成を備える。
【００２６】
図２〜４を参照して、本実施形態に係る電子銃１の固定部品９について詳細に説明する。図２は、第１の実施形態に係る電子銃１の一部の構成を示す断面図である。図３は、図２における領域Ａ及びＢの拡大図である。図示の簡略化のため、図２において、筒１１より下方に位置する構成要素及び電子銃容器３の図示を省略している。図２及び３に示すように、本実施形態に係る固定部品９は、底面に支持部品６及び緩衝部品１７ａを備える。
【００２７】
図２及び３における領域Ａは支持部品６を示し、領域Ｂは緩衝部品１７ａを示す。図３の領域Ａの拡大図に示すように、支持部品６は、固定部品９の底面に配置される。支持部品６は、円盤状に形成され、底面が鉛直方向下方に凸の曲面形状を有する。なお、支持部品６の底面は曲面を持つ構造であればよく、形状は図示するものに限定されない。支持部品６がフランジ５に接触することにより、筒１１を支持することができる。
【００２８】
一般に、荷電粒子線装置は、内部を高真空に保つため、ベーキングと呼ばれる加熱処理が行われる。ベーキングは、電子銃１などを加熱して表面に吸着したガスを脱ガスする処理である。従って、支持部品６は、例えば１００℃以上のベーキング温度に耐えうる材料で構成される。支持部品６の材料は、例えば任意の金属材料や、耐熱性の高い樹脂材料等である。
【００２９】
図３の領域Ｂの拡大図に示すように、緩衝部品１７ａは、ばね１８（圧縮変形部品）、球１９（接触部品）及び円筒部品２０（中空部品）から構成される。円筒部品２０は、上面を有する円筒状の部品であり、上部が固定部品９の底面に嵌合されている。換言すれば、固定部品９は、円筒部品２０を嵌合可能な凹部を底面に備える。なお、円筒部品２０の上面は開口となっていてもよく、該開口が固定部品９により塞がれる構成であってもよい。また、円筒部品２０の底面は、開口となっている。
【００３０】
ばね１８は、円筒部品２０内部の上面に一端が接続され、球１９に他端が接続される。円筒部品２０の直径は、球１９が内部を昇降可能なように、球１９の直径よりわずかに大きければよい。円筒部品２０の直径が球１９の直径より大きすぎると、円筒部品２０の内部で球１９が水平方向にも移動しやすくなり、筒１１の振動を低減しにくくなる虞がある。
【００３１】
図示は省略しているが、ばね１８が自然長であるとき、すなわち球１９がフランジ５に接触していないとき、球１９の最下点は、円筒部品２０の開口（底面）よりも下方に位置し、且つ支持部品６の最下点よりも下方に位置する。換言すれば、緩衝部品１７ａは、鉛直方向の長さが支持部品６よりも大きい。このような構成により、固定部品９を筒１１に嵌合して下方に移動させる際に、支持部品６よりも先に緩衝部品１７ａの球１９がフランジ５と接触する。球１９がフランジ５と接触すると、ばね１８が変形し、球１９が円筒部品２０内部に押し込まれる。なお、フランジ５に接触する接触部品は、球１９に限定されず、楕円体や直方体、立方体など、任意の形状とすることができる。
【００３２】
ばね１８の剛性は、球１９がフランジ５と接触した際に変形できる剛性であればよいが、支持部品６の剛性より低い。ばね１８の材料は、例えば支持部品６の剛性よりも低い金属材料や、樹脂材料等である。ばね１８の形状は、図３に示すコイルばねに限定されず、鉛直方向に圧縮変形可能であれば任意の形状を採用できる。
【００３３】
球１９及び円筒部品２０の材料は、固定部品９、支持部品６又はばね１８と同様であってもよいし、これらと異なる金属材料や樹脂材料であってもよい。ばね１８、球１９及び円筒部品２０が樹脂材料である場合、例えば１００℃以上のベーキング温度に耐えうる樹脂材料であることが好ましい。
【００３４】
図４は、電子銃１の平面図（左側）及び固定部品９の底面図（右側）である。図４の底面図に示すように、支持部品６は、固定部品９の底面において、周方向に沿ってほぼ均等に３箇所配置される。また、緩衝部品１７ａは、固定部品９の底面において、周方向に沿ってほぼ均等に３箇所配置されており、支持部品６と交互に配置される。
【００３５】
図４の平面図に示すように、押し込み部品７は、台座１０の周方向に沿ってほぼ均等に４箇所配置されている。押し込み部品７の先端は曲面であり、この先端が固定部品９の受け８に押し当てられる。押し込み部品７は、水平面に対し、固定部品９に向かって下方に傾斜するように配置されているため、押し込み部品７を押し当てることにより固定部品９を水平方向へ移動させつつ、下方へ移動させることができる。押し込み部品７の材料は、例えば任意の金属材料、樹脂材料等である。
【００３６】
図４の平面図に示すように、本実施形態に係る電子銃１は、筒１１の振動エネルギを減衰させる減衰部品２１を備える。減衰部品２１が固定部品９に接触することにより減衰性が付加され、筒１１の振動を抑制することができる。減衰部品２１は、台座１０の周方向に沿ってほぼ均等に４箇所配置されており、押し込み部品７と交互に配置されている。減衰部品２１は、押し込み部品７と同様に先端が曲面であり、この先端が固定部品９の受け８に押し当てられる。減衰部品２１の材料は、支持部品６よりも減衰性の高い材料であればよく、例えば高減衰性の金属材料や樹脂材料、ゴム材料等である。
【００３７】
本実施形態に係る電子銃１は、次のように組み立てられる。まず、ユーザーは、筒１１に嵌合された固定部品９を回転させながら下方へ移動させる。このとき、押し込み部品７は外側に退避されている。固定部品９の底面に設けられた緩衝部品１７ａとフランジ５とが接触したら、ユーザーは、固定部品９の移動を止める。そして、ユーザーは、押し込み部品７を固定部品９に向かって移動させ、受け８に押し当てることで、筒１１を下方へと移動させる。支持部品６がフランジ５と接触したら、ユーザーは、押し込み部品７の移動を止め、最後に、減衰部品２１を固定部品９に向かって移動させ、受け８に押し当てる。このようにして電子銃１を組み立てた後、例えば以下の方法により、光軸１０５を調整する。
【００３８】
図５は、電子線の光軸１０５の調整方法を示す概略図である。上記のように電子銃１を組み立てた後、針状電極１５１の位置によっては、光軸１０５が中心軸１００からずれていたり、絞り穴３２を通過しなかったりしてしまう。この場合、図５に示すように、押し込み部品７を固定部品９に押し当てることにより、筒１１と共に電子源１５を水平方向に平行移動させて、光軸１０５が絞り穴３２を通過するように、位置を調整する。そして、偏向手段１６により電子線を偏向させ、中心軸１００に光軸１０５を合わせる。
【００３９】
図６は、従来の電子銃における固定部品の移動時に生じる筒１１の傾きを示す概略図である。図６に示すように、従来の電子銃は、固定部品９の底面に、円盤状の支持部品６１のみを備え、緩衝部品１７ａを有しない。このような従来の電子銃において、固定部品９を回転させながら下方へ移動させる間、支持部品６１とフランジ５が接触する前は、筒１１は、下端部をベローズ１２によって支持されているのみである。従って、固定部品９の下方への移動を止めた後、固定部品９に押し込み部品７を押し当てると、図６に示すように筒１１が傾斜する。これにより、３箇所ある支持部品６１とフランジ５との接触状態に偏りが生じる。また、固定部品９の鉛直方向の位置は組立者に依存するため、製造過程におけるばらつきが生じ、これにより筒１１の傾斜状態にもばらつきが生じる。このような支持部品６１及びフランジ５の接触状態の偏りや、筒１１の傾斜状態のばらつきは、筒１１を支持するための剛性や、筒１１の振動の減衰性にばらつきが生じる要因となる。
【００４０】
一方、本実施形態のように、支持部品６がフランジ５に接触する前に緩衝部品１７ａが接触することによって、緩衝部品１７ａにより筒１１を支持することができるため、押し込み部品７を固定部品９に押し当てても筒１１が傾斜しにくくなる。また、組み立て時における固定部品９の鉛直方向の位置の基準として、緩衝部品１７ａとフランジ５とが接触する位置とすることによって、固定部品９が筒１１に設置される高さが一定になる。これにより、電子銃１の製造過程における固定部品９の位置のばらつきによる傾斜状態のばらつきや、支持部品６及びフランジ５の接触状態の偏りが生じにくくなる。
【００４１】
図７は、支持部品６又は６１と、フランジ５との接触状態を示す概略図である。図７の上段は、図２に示す領域Ａの拡大図であり、下段は支持部品６及び６１の底面図である。図７に示すように、円盤状の支持部品６１は、底面が平面である。この場合、支持部品６１が傾斜した際に、フランジ５との接触箇所は、図７の左下に示すように、支持部品６１の底面の縁に分散する。一方、本実施形態のように、支持部品６の底面が曲面である場合は、支持部品６が傾斜しても、図７の右下に示すように、フランジ５との接触箇所が一点に集中する。これにより、接触状態が安定し、筒１１を支持するための剛性や、筒１１の振動の減衰性にばらつきがより生じにくくなる。
【００４２】
＜技術的効果＞
以上のように、本実施形態に係る電子銃１は、固定部品９の底面に、支持部品６と、支持部品６よりも剛性が低く、支持部品６よりも先にフランジ５に接触する緩衝部品１７ａと、減衰部品２１とを備える。このような構成により、外乱による電子源１５の振動を低減させることで、像ゆれを低減させることができる。さらに、固定部品９の位置のばらつきや、支持部品６とフランジ５との接触状態の偏りを抑制することができ、荷電粒子線装置の耐振動性能に関する機差が低減される。
【００４３】
［第２の実施形態］
第２の実施形態に係る荷電粒子線装置の電子銃について、図８及び９を参照して説明する。なお、第２の実施形態に係る電子銃は、緩衝部品及びフランジの構成以外は第１の実施形態と同様であるため、説明を省略する。
【００４４】
図８は、第２の実施形態に係る電子銃の一部の構成を示す断面図である。図８に示すように、第２の実施形態に係る電子銃の緩衝部品１７ｂは、着脱ねじ２２の先端に取り付けられる。フランジ部４の側面には、着脱ねじ２２を水平方向に挿入するためのねじ穴４２が設けられる。ねじ穴４２は、緩衝部品１７ｂがフランジ５上に配置されるような位置に設けられる。着脱ねじ２２をねじ穴４２に挿入することで、緩衝部品１７ｂは、フランジ５上に配置される。このように、本実施形態に係る緩衝部品１７ｂは、着脱ねじ２２の出し入れにより着脱可能に構成される。
【００４５】
緩衝部品１７ｂは、例えば板状に形成され、緩衝部品１７ｂの厚さは、支持部品６の厚さより大きい。着脱ねじ２２及び緩衝部品１７ｂは、固定部品９を筒１１に嵌合する前にねじ穴４２に挿入され、予め緩衝部品１７ｂをフランジ５上に載置しておく。これにより、固定部品９が筒１１に嵌合され下方に移動される際に、支持部品６がフランジ５に接触する前に、固定部品９の底面が緩衝部品１７ｂに接触する。
【００４６】
緩衝部品１７ｂは、ベーキング時に電子銃１から取り外すことができるため、緩衝部品１７ｂの材料として、耐熱性が低い樹脂材料やゴム材料などを採用することができる。また、緩衝部品１７ｂは、押し込み部品７の押し込みにより固定部品９を下方に移動させる際に、支持部品６をフランジ５に接触させることができるように、圧縮変形が可能な程度の剛性を有する。緩衝部品１７ｂの剛性は、支持部品６の剛性よりも低い。
【００４７】
図９は、図８のＡ−Ａ断面図である。図９に示すように、緩衝部品１７ｂは、固定部品９の底面において、例えば周方向に沿ってほぼ均等に３箇所配置される。緩衝部品１７ｂの数は３つに限定されず、任意の数の緩衝部品１７ｂを配置することができる。筒１１の傾斜や振動を抑制する観点から、緩衝部品１７ｂの数は２つ以上であることが好ましい。
【００４８】
＜技術的効果＞
以上のように、本実施形態に係る電子銃は、支持部品６よりも厚く、且つ剛性の低い板状の緩衝部品１７ｂが固定部品９とフランジ５との間に配置される構成を有する。これにより、第１の実施形態と同様の効果を奏することができる。さらに、第１の実施形態と比較して、緩衝部品１７ｂとフランジ５との接触面積が増えるため、緩衝部品１７ｂにモーメント剛性が付加され、筒１１をより安定して支持することが可能になる。
【００４９】
［第３の実施形態］
第３の実施形態に係る荷電粒子線装置の電子銃について、図１０及び１１を参照して説明する。なお、第３の実施形態に係る電子銃は、緩衝部品、フランジ及びフランジの構成以外は第１の実施形態と同様であるため、説明を省略する。
【００５０】
図１０は、第３の実施形態に係る電子銃の一部の構成を示す断面図である。図１０に示すように、本実施形態においては、フランジ部４とフランジ５の高さが等しく、緩衝部品１７ｃは、リング状に構成される。緩衝部品１７ｃの外径は、台座１０の内径と略同一である。緩衝部品１７ｃの内径は、緩衝部品１７ｃが支持部品６と接触しないように設定される。
【００５１】
緩衝部品１７ｃの厚さは、支持部品６の厚さよりも大きい。また、緩衝部品１７ｃは、固定部品９を筒１１に嵌合する前に、予めフランジ５上に配置される。これにより、固定部品９が筒１１に嵌合され下方に移動される際に、支持部品６がフランジ５に接触する前に、固定部品９の底面が緩衝部品１７ｃに接触する。
【００５２】
図１１は、図１０のＡ−Ａ断面図である。図１１に示すように、緩衝部品１７ｃは、割れ目２３において２つに分割することができ、これにより着脱が容易である。なお、緩衝部品１７ｃは、３つ以上に分割可能であってもよい。また、緩衝部品１７ｃは、リング状に形成されている必要はなく、複数の円弧状の緩衝部品１７ｃが断続的に配置されていてもよい。
【００５３】
例えばベーキング時に台座１０及び固定部品９を取り外すことにより、緩衝部品１７ｃを取り外すことができる。よって、緩衝部品１７ｃの材料として、耐熱性が低いゴム材料などを採用することができる。緩衝部品１７ｃは、固定部品９を下方に移動させる際に、支持部品６をフランジに接触させることができるように、圧縮変形が可能な程度の剛性を有する。緩衝部品１７ｃの剛性は、支持部品６の剛性よりも低い。
【００５４】
＜技術的効果＞
以上のように、本実施形態に係る電子銃は、支持部品６よりも厚く、且つ剛性の低いリング状の緩衝部品１７ｃが固定部品９とフランジ５との間に配置される構成を有する。これにより、第１の実施形態と同様の効果を奏することができる。さらに、第１の実施形態と比較して、緩衝部品１７ｃとフランジ５との接触面積が増えるため、緩衝部品１７ｃにモーメント剛性が付加され、筒１１をより安定して支持することが可能になる。また、緩衝部品１７ｃの面積が大きいことにより高い減衰性が得られるため、筒１１の振動をより低減することができる。
【００５５】
［変形例］
本開示は上記実施形態に限定されるものではなく、様々な変形例が含まれる。例えば、上記実施形態は本開示を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００５６】
上記実施形態において、荷電粒子線装置として走査型電子顕微鏡（ＳＥＭ）を例に説明したが、例えば透過型電子顕微鏡（ＴＥＭ）や集束イオンビーム装置（ＦＩＢ）など、ＳＥＭ装置以外の荷電粒子線装置に、各実施形態に係る構成を搭載してもよい。また、電子銃として熱電子放出型の電子源を有するものを採用してもよい。さらに、上記実施形態では電子銃を例に説明したが、イオン銃などの荷電粒子銃にも各実施形態の構成を適用可能である。
【００５７】
また、第１の実施形態において、支持部品６を固定部品９の底面に設置していたが、フランジ５上に固定してもよい。これにより、支持部品６と押し込み部品７との位置関係は変化しなくなる。なお、支持部品６をフランジ５上に設ける場合、その底面は平面であることが好ましい。
【００５８】
さらに、上記実施形態において、支持部品６及び緩衝部品１７ａ〜１７ｃは、フランジ５上に配置される構成を説明した。しかし、フランジ部４及びフランジ５を設けず、電子銃容器３の上面を支持部品６及び緩衝部品１７ａ〜１７ｃの支持部とした構成であってもよい。この場合、筒１１が挿入される電子銃容器３の開口３１は、固定部品９の底面における外径よりも小さく形成される。また、ベローズ１２は、電子銃容器３の上面に接続される。
【符号の説明】
【００５９】
１…電子銃、２…チャンバ、３…電子銃容器、４…フランジ部、５…フランジ、６…支持部品、７…押し込み部品、８…受け、９…固定部品、１０…台座、１１…筒、１２…ベローズ、１３…絶縁碍子、１４…引出電極、１５…電子源、１６…偏向手段、１７ａ〜１７ｃ…緩衝部品、１８…ばね、１９…球、２０…円筒部品、２１…減衰部品、２２…着脱ねじ、２３…割れ目、３１…開口、３２…絞り穴、４１…開口、４２…ねじ穴、１００…中心軸、１０５…光軸
【図１】
0006953635.tif 000002
【図２】
0006953635.tif 000003
【図３】
0006953635.tif 000004
【図４】
0006953635.tif 000005
【図５】
0006953635.tif 000006
【図６】
0006953635.tif 000007
【図７】
0006953635.tif 000008
【図８】
0006953635.tif 000009
【図９】
0006953635.tif 000010
【図１０】
0006953635.tif 000011
【図１１】
0006953635.tif 000012